(57)【要約】【課題】寸法の異なる様々な電気機器収納用箱体に対して適用可能で、内機交換等の際に予め現場に訪れて箱体の寸法を計測したりする必要のない電気機器搭載用パネルを提供する。【解決手段】複数の角穴が開設されたパネル本体１と、各角穴の開口面上の任意の位置に位置決め可能に設けられ、固定ボルト２０を挿通可能な第１ボルト孔を有する複数の調整具３、３・・とからなるものとし、収納ケース２の取付面から突出する固定ボルト２０とパネル本体１の角穴とを合わせた状態で、各調整具３を取付ボルト２１により所望の位置に位置決めし、各調整具３と固定ボルト２０とを締め付け固定することによって、収納ケース２に取り付けるようにした。【選択図】図１
2007244132.tif 000002
【特許請求の範囲】
【請求項１】
所定の取付面に固定部材が突設された電気機器収納用箱体の前記取付面に取り付けられる電気機器搭載用パネルであって、
複数の調整穴が開設されたパネル本体と、各前記調整穴の開口面上の任意の位置に位置決め可能に設けられ、前記固定部材を挿通可能な第１挿通孔を有する複数の調整具とを備えており、
前記取付面の固定部材に前記パネル本体の調整穴を合わせた状態で、前記調整具を所望の位置に位置決めし、前記固定部材を前記調整具に固定することによって、前記電気機器収納用箱体に取り付けられることを特徴とする電気機器搭載用パネル。
【請求項２】
調整具に、取付面の左右方向に長い複数の第１挿通孔と、取付面の上下方向に長い第２挿通孔とを設ける一方、パネル本体に、前記第２挿通孔に挿通可能な凸部を設けており、
前記調整具を、前記第２挿通孔に前記凸部を挿通させた状態で取り付けることで、前記第２挿通孔が許容する範囲で調整穴の開口面上を移動可能としたことを特徴とする請求項１に記載の電気機器搭載用パネル。
【請求項３】
パネル本体の端部に支持部を突設し、該支持部を電気機器収納用箱体の内面に当接させた状態で前記電気機器収納用箱体に取付可能としたことを特徴とする請求項１又は２に記載の電気機器搭載用パネル。
【発明の詳細な説明】
【技術分野】
【０００１】
本発明は、たとえば分電盤等の電気機器収納用箱体に取り付けられる電気機器搭載用パネルに関するものである。
【背景技術】
【０００２】
従来より、たとえば分電盤において電気機器を搭載するためのパネルを固定するにあたっては、収納ケース本体にボルト固定具を設ける一方、収納ケースの寸法に合わせて設計されたパネルの所定位置にボルト挿通孔を設け、ボルトによってパネルを収納ケース内に取り付けていた。このようなパネル取付構造については、特許文献１や特許文献２に開示されている。
【０００３】
【特許文献１】特開平１１−１８７５１１号公報
【特許文献２】実開平５−６７１０６号公報
【０００４】
ここで、従来のパネル及び該パネルの取付構造について図４を基に説明する。
４１は、電気機器を収納するための収納ケースであって、収納ケース４１本体の所定位置には、ボルト固定具４２が設けられている。一方、４３は、電気機器を搭載するためのパネルである。パネル４３は、予め収納ケース４１の寸法（間口、奥行き、取り付けピッチ）に合わせて設計されたものであって、その所定位置にはボルト挿通孔４４が穿設されている。そして、該パネル４３を収納ケース４１に固着するにあたっては、ボルト４５やナット４６、４６を用いて締め付け固定していた。
【発明の開示】
【発明が解決しようとする課題】
【０００５】
たとえば電気機器の回路構成を変更したい場合等に、既設の分電盤等に対して収納ケースはそのままで内機のみ（パネルを含む）を交換するように依頼されることがある。そして、既設の分電盤の収納ケースの寸法（特に、ボルト固定具の位置等）は、メーカー、型、用途等に応じて現場現場で異なるのが通常である。したがって、上記依頼があると、一度現場に訪れて収納ケースの寸法を計測し、その後で個々にパネルを設計する必要があり、コストがかさむ、内機の交換完了までに時間がかかる等の諸問題を抱えていた。
【０００６】
そこで、本発明は、上記問題を解決すべくなされたものであって、寸法の異なる様々な電気機器収納用箱体に対して適用可能で、内機交換等の際に予め現場に訪れて箱体の寸法を計測したりする必要のない電気機器搭載用パネルを提供しようとするものである。
【課題を解決するための手段】
【０００７】
上記目的を達成するために、本発明のうち請求項１に記載の発明は、所定の取付面に固定部材が突設された電気機器収納用箱体の前記取付面に取り付けられる電気機器搭載用パネルであって、複数の調整穴が開設されたパネル本体と、各前記調整穴の開口面上の任意の位置に位置決め可能に設けられ、前記固定部材を挿通可能な第１挿通孔を有する複数の調整具とを備えており、前記取付面の固定部材に前記パネル本体の調整穴を合わせた状態で、前記調整具を所望の位置に位置決めし、前記固定部材を前記調整具に固定することによって、前記電気機器収納用箱体に取り付けられることを特徴とする。
請求項２に記載の発明は、請求項１の発明において、調整具に、取付面の左右方向に長い複数の第１挿通孔と、取付面の上下方向に長い第２挿通孔とを設ける一方、パネル本体に、前記第２挿通孔に挿通可能な凸部を設けており、前記調整具を、前記第２挿通孔に前記凸部を挿通させた状態で取り付けることで、前記第２挿通孔が許容する範囲で調整穴の開口面上を移動可能としたことを特徴とする。
請求項３に記載の発明は、請求項１又は２の発明において、パネル本体の端部に支持部を突設し、該支持部を電気機器収納用箱体の内面に当接させた状態で前記電気機器収納用箱体に取付可能としたことを特徴とする。
【発明の効果】
【０００８】
本発明によれば、固定部材に固定される調整具を、パネル本体の調整穴開口面上の任意の位置で位置決め可能に設けているため、電気機器収納用箱体に予め設けられている固定部材の位置に煩わされることなく取り付けることができる。したがって、既設の電気機器収納用箱体に対して内機のみの交換を求められた場合に、従来のような現場調査や該現場調査に基づく新規設計を必要とせず、現場に応じて調整具の位置を調整するだけで取付可能となっているため、交換完了までの日数を短縮することができる。また、電気機器収納用箱体毎にパネル本体を個々に設計する必要がなく量産可能であるため、従来の電気機器搭載用パネルと比較してコストダウンを図ることができる。
また、請求項２に記載の発明によれば、調整具に、取付面の左右方向に長い複数の第１挿通孔と、取付面の上下方向に長い第２挿通孔とを設ける一方、パネル本体に、第２挿通孔に挿通可能な凸部を設けており、調整具を、第２挿通孔に凸部を挿通させた状態で取り付けることで、第２挿通孔が許容する範囲で調整穴の開口面上を移動可能としている。つまり、左右方向に長い第１挿通孔と、上下方向に長い第２挿通孔とを組み合わせているため、簡易な構成で幅広い範囲をカバーすることができる。加えて、調整具をパネル本体上で移動させるための移動機構を簡易な構成で実現することができ、一層のコストダウンを図ることができる上、パネルの組立作業が煩雑化しない等の効果も期待できる。
さらに、請求項３に記載の発明によれば、パネル本体の端部に支持部を設けており、パネル本体を、該支持部を電気機器収納用箱体の内面に当接させた状態で取り付けるようにしている。したがって、たとえ大型のパネル本体を取り付けるような場合であっても、取付後に電気機器収納用箱体内にてパネル本体がぐらついたりせず、安定性の高い固定を行うことができる。
【発明を実施するための最良の形態】
【０００９】
以下、本発明の一実施形態となる電気機器搭載用パネル（以下、単にパネルと称す）について図面を基に説明する。
【００１０】
図１は、パネル本体１を収納ケース２に取り付けた状態を示した斜視説明図である。また、図２（ａ）はパネル本体１を左側から見た説明図、図２（ｂ）はパネル本体１を正面側から見た説明図である。さらに、図３（ａ）は調整具３を正面側から見た説明図、図３（ｂ）は調整具３を底面側から見た説明図、図３（ｃ）は調整具３を右側から見た説明図である。
本発明に係るパネルは、電気機器等を搭載するためのパネル本体１と、該パネル本体１を収納ケース２内に取り付けるための調整具３とからなる。パネル本体１は、長方形状に形成された金属製の薄板であって、下端部左右両側には、収納ケース２への取付状態にて自身を支持する支持部４、４が夫々一体的に突設されている。また、パネル本体１の左右側縁部の上部、中部、及び下部には、それぞれ調整穴である角穴（たとえば、約６ｃｍ四方）５が開設されている。さらに、各角穴５の内側（側縁方向を外側とする）には、調整具３を取り付けるための取付ボルト（位置決め部材であり、凸部としての機能も有する）２１を挿通可能な丸孔６が穿設されている。加えて、パネル本体１の上下左右縁は全て後方へ折り曲げられた状態となっており、左右両側の折り曲げ部で各角穴５と対応する位置には、切り欠き７、７・・が設けられている。
【００１１】
一方、３は、パネル本体１を収納ケース２内に固着する際に用いる調整具であって、金属製の薄板を、パネル本体１に開設された各角穴５よりも大きな略正方形状（たとえば、約９ｃｍ四方）に形成してなるものである。調整具３の上部、中部、及び下部には、パネル本体１を収納ケース２に固定するための固定ボルト（固定部材）２０を挿通可能で、左右方向に長い第１ボルト孔８、８・・が穿設されている。また、調整具３の一方側端部には、取付ボルト２１を挿通可能で、上下方向に長い第２ボルト孔９が穿設されている。一方、調整具３の他方側端縁（第２ボルト孔９が設けられていない側端縁）は、後方へ折り曲げられており、更に該折り曲げ部の下端には、係止片１０が内側（調整具３側）へと一体的に突設されている。該調整具３は、係止片１０をパネル本体１の切り欠き７に係止させた状態でパネル本体１の各角穴５部に取り付けられる。
【００１２】
ここで、パネル本体１の収納ケース２への取付方法について説明する。
まず、パネル本体１の各角穴５に正面側から調整具３をあてがい（係止片１０を切り欠き７に係止させた状態）、取付ボルト２１を第２ボルト孔９と丸孔６とに挿通させて、調整具３をパネル本体１に仮止めする。尚、該仮止め状態において、各調整具３は、第２ボルト孔９が許容する範囲内で上下方向にスライド可能となっている。
次に、パネル本体１上に必要な電気機器（図示せず）を搭載した後、パネル本体１の支持部４、４を収納ケース２の底面に当接させるようにしてパネル本体１を収納ケース２内に嵌め込む、そして、予め収納ケース２内に設けられているボルト固定具（図示していないが、図１では収納ケース２の四隅に設けられており、固定部材を構成する）から突出する固定ボルト２０が、調整具３の第１ボルト孔８、８・・のいずれかに挿通するよう、調整具３を上下方向にスライドさせて調整する。その後、該位置にて取付ボルト２１により調整具３をパネル本体１に固定する（位置決めする）とともに、ナットにより第１ボルト孔８を挿通している固定ボルト２０を締め付け固定して、パネル本体１を収納ケース２に取り付ける。
【００１３】
以上のように構成されるパネルによれば、左右方向に長い複数の第１ボルト孔８、８・・を有する調整具３を、上下方向に長い第２ボルト孔９によりパネル本体１に対してスライド自在に備えているため、既設の収納ケース２に設けられているボルト固定具の位置に応じて調整具３の位置を現場で調整することができる。したがって、従来のように現場調査を必要しないことから、内機交換等の依頼があってから交換完了までの日数を短縮することができるとともに、収納ケース毎にパネル本体１を個々に設計する必要がないためコストダウンを図ることができる。
【００１４】
また、パネル本体１の左右両下端部に支持部４、４を設け、該支持部４を収納ケース２の底面に当接する状態にてパネル本体１を収納ケース２内に固定する。したがって、たとえパネル本体１が大型化したとしても、固定後に収納ケース２内にてパネル本体１がぐらついたりせず、安定性の高い固定を行うことができる。
さらに、パネル本体１の左右折り曲げ部に切り欠き７、７・・を設ける一方、調整具３に係止片１０を設けており、該係止片１０を切り欠き７に係止させた状態にて調整具３をパネル本体１に取り付けるため、調整具３のパネル本体１に対する安定感を高めることができる。
【００１５】
なお、本発明のパネルに係る構成は、上記実施形態の態様に何ら限定されるものではなく、本発明の趣旨を逸脱しない範囲で、調整具やパネル本体の大きさ、形状、材質、及び調整穴の数や形状等について必要に応じて適宜変更することができる。
【００１６】
たとえば、調整具に、その左右方向の幅を変更可能なスライド機構を設け、調整可能な範囲をより広げるような構成としても何ら問題はない。また、調整具における第１ボルト孔の数や形状、設置位置等も当然適宜変更することができる。
さらに、上記実施の形態に記載のものの如く、調整具に係止片を設けたり、パネル本体に切り欠きを設けたりせず、調整具の折り曲げ部とパネル本体の折り曲げ部とを当接させた状態で、調整具をパネル本体に取り付けるような構成としても、安定性の高い取り付けを行うことは可能である。
【００１７】
さらにまた、パネル本体の折り曲げ部に丸孔を設けるとともに、調整具の折り曲げ部に第２ボルト孔を設ける構成、すなわちスライド機構をパネル本体の側面に設置するような構成としてもよい。このようにスライド機構を側面に設置することで、パネル本体の正面のより広い領域を電気機器搭載のためのスペースとして活用することができる、といった効果を奏することができる。またさらに、上記実施の形態に記載したような取付ボルトを用いる代わりに、パネル本体に第２挿通孔に挿通可能な凸部を一体的に設けるような構成としてもよい。そして、該凸部にネジ溝を刻設すれば、ネジ溝を有するナットにより、上記実施の形態に記載したものの如く、調整具を任意のスライド位置で位置決め固定することができる。
また、上記実施の形態では、支持部を下端部に設けているが、左右両側に設けたり、上部に設けたりして、突っ張るようにして支持する構成とすることも可能である。さらに、収納ケースの寸法によっては、支持部が邪魔となる事態も考えられるため、支持部には折り曲げ部を形成せず、比較的容易に切断可能な構成してもよいし、支持部そのものを設けない構成とすることも可能である。
【００１８】
加えて、上記実施の形態に記載のパネルは、分電盤に限らず、他の電気機器収納用箱体に対しても好適に利用することができるものである。
【図面の簡単な説明】
【００１９】
【図１】パネル本体を収納ケースに取り付けた状態を示した斜視説明図である。
【図２】（ａ）はパネル本体を左側から見た説明図、（ｂ）はパネル本体を正面側から見た説明図である。
【図３】（ａ）は調整具を正面側から見た説明図、（ｂ）は調整具を底面側から見た説明図、（ｃ）は調整具を右側から見た説明図である。
【図４】従来のパネルの取付構造について示した斜視説明図である。
【符号の説明】
【００２０】
１・・パネル本体、２・・収納ケース、３・・調整具、４・・支持部、５・・角穴、６・・丸孔、７・・切り欠き、８・・第１ボルト孔、９・・第２ボルト孔、１０・・係止片、２０・・固定ボルト、２１・・取付ボルト。
【図１】
2007244132.tif 000003
【図２】
2007244132.tif 000004
【図３】
2007244132.tif 000005
【図４】
2007244132.tif 000006